(57)【要約】【課題】複数の信号のレベルが同時に変化することを抑制する。【解決手段】発振信号を生成する発振部１０と、発振信号を第１の分周比で分周して第１分周信号を生成する第１分周部１１と、発振信号を第２の分周比で分周して第２分周信号を生成する第２分周部１２と、第１分周信号を遅延させることで、第２分周信号と異なるタイミングで信号レベルが変化する第１遅延信号を生成する第１遅延部１３と、第１遅延信号を出力する第１出力端子２１と、第２分周信号を出力する第２出力端子２２と、を備える。【選択図】図１
2018026846.tif 000002
【特許請求の範囲】
【請求項１】
発振信号を生成する発振部と、
前記発振信号を第１の分周比で分周して第１分周信号を生成する第１分周部と、
前記発振信号を第２の分周比で分周して第２分周信号を生成する第２分周部と、
前記第１分周信号を遅延させることで、前記第２分周信号と異なるタイミングで信号レベルが変化する第１遅延信号を生成する第１遅延部と、
前記第１遅延信号を出力する第１出力端子と、
前記第２分周信号を出力する第２出力端子と、
を備える発振器。
【請求項２】
前記第１分周信号及び前記第２分周信号のいずれかを選択する第１選択部と、
前記第１選択部が選択した信号を出力する第３出力端子と、
をさらに備える、
請求項１に記載の発振器。
【請求項３】
前記第２分周信号を遅延させることで、前記第１分周信号、前記第２分周信号及び前記第１遅延信号と異なるタイミングで信号レベルが変化する第２遅延信号を生成する第２遅延部をさらに備え、
前記第２出力端子は、前記第２遅延信号を前記第２分周信号として出力する、
請求項２に記載の発振器。
【請求項４】
前記第１分周信号及び前記第２分周信号のいずれかを選択する第１選択部と、
前記第１選択部が選択した信号を遅延させることで、前記第１分周信号及び前記第２分周信号と異なるタイミングで信号レベルが変化する第３遅延信号を生成する第３遅延部と、
前記第３遅延部が生成した前記第３遅延信号を出力する第３出力端子と、
をさらに備える、
請求項１に記載の発振器。
【請求項５】
前記第３遅延部は、前記第１選択部が前記第１分周信号及び前記第２分周信号のうちのいずれの信号を選択したかに基づいて、遅延時間を切り替える、
請求項４に記載の発振器。
【請求項６】
前記第１遅延信号及び前記第２分周信号のいずれかを選択する第２選択部と、
前記第２選択部が選択した信号を出力する第３出力端子と、
をさらに備える、
請求項１に記載の発振器。
【請求項７】
前記第１遅延部は、前記発振信号に同期して、前記第１分周信号を遅延させる、
請求項１から６のいずれか１項に記載の発振器。
【請求項８】
前記第１遅延部における遅延時間を制御する制御部をさらに備える、
請求項１から７のいずれか１項に記載の発振器。
【発明の詳細な説明】
【技術分野】
【０００１】
本発明は、複数の異なる周波数の発振信号を出力する発振器に関する。
【背景技術】
【０００２】
従来、２つ以上の周波数の信号を出力することができる発振器が知られている。従来の発振器においては、原発振信号を分周して第１分周信号を生成し、第１分周信号をさらに分周して第２分周信号を生成し、それぞれ異なる周波数の第１分周信号及び第２分周信号が出力される（例えば、特許文献１を参照）。
【先行技術文献】
【特許文献】
【０００３】
【特許文献１】特開２００６−３０３６０９号公報
【発明の概要】
【発明が解決しようとする課題】
【０００４】
従来の発振器における第１分周信号は、原発振信号のレベルの変化タイミングに同期してレベルが変化し、第２分周信号は、第１分周信号のレベルの変化タイミングに同期してレベルが変化する。図１５は、従来の発振器から出力される第１分周信号と第２分周信号との関係を示す図である。原発振信号が４分周されて第１分周信号が生成され、第１分周信号が２分周されて第２分周信号が生成されている。
【０００５】
ここで、第１分周信号は、原信号の立ち上がりタイミングに同期してレベルが変化し、第２分周信号は、第１分周信号の立ち上がりタイミングに同期してレベルが変化する。したがって、第１分周信号のレベルと第２分周信号のレベルとがほぼ同時に変化する、点線で示されるタイミングが生じている。
【０００６】
複数の信号のレベルが同時に変化すると、信号レベルが変化するタイミングで流れる電流の量が増えるので、電源電圧が変動する一因となり好ましくない。また、信号レベルが変化するタイミングにおいては、その他のタイミングに比べて、信号に含まれる高周波成分が多いので、第１分周信号のレベルと第２分周信号のレベルとが同時に変化すると、電波として放射される高周波成分が大きくなるという点でも好ましくない。
【０００７】
そこで、本発明はこれらの点に鑑みてなされたものであり、周波数が異なる複数の信号を出力しつつ、複数の信号のレベルが同時に変化することを抑制できる発振器を提供することを目的とする。
【課題を解決するための手段】
【０００８】
本発明においては、発振信号を生成する発振部と、前記発振信号を第１の分周比で分周して第１分周信号を生成する第１分周部と、前記発振信号を第２の分周比で分周して第２分周信号を生成する第２分周部と、前記第１分周信号を遅延させることで、前記第２分周信号と異なるタイミングで信号レベルが変化する第１遅延信号を生成する第１遅延部と、前記第１遅延信号を出力する第１出力端子と、前記第２分周信号を出力する第２出力端子と、を備える発振器を提供する。前記第１遅延部は、例えば、前記発振信号に同期して、前記第１分周信号を遅延させる。
【０００９】
上記の発振器は、前記第１分周信号及び前記第２分周信号のいずれかを選択する第１選択部と、前記第１選択部が選択した信号を出力する第３出力端子と、をさらに備えてもよい。当該発振器は、前記第２分周信号を遅延させることで、前記第１分周信号、前記第２分周信号及び前記第１遅延信号と異なるタイミングで信号レベルが変化する第２遅延信号を生成する第２遅延部をさらに備え、前記第２出力端子は、前記第２遅延信号を前記第２分周信号として出力してもよい。
【００１０】
また、上記の発振器は、前記第１分周信号及び前記第２分周信号のいずれかを選択する第１選択部と、前記第１選択部が選択した信号を遅延させることで、前記第１分周信号及び前記第２分周信号と異なるタイミングで信号レベルが変化する第３遅延信号を生成する第３遅延部と、前記第３遅延部が生成した前記第３遅延信号を出力する第３出力端子と、をさらに備えてもよい。この場合において、前記第３遅延部は、前記第１選択部が前記第１分周信号及び前記第２分周信号のうちのいずれの信号を選択したかに基づいて、遅延時間を切り替える。
【００１１】
また、上記の発振器は、前記第１遅延信号及び前記第２分周信号のいずれかを選択する第２選択部と、前記第２選択部が選択した信号を出力する第３出力端子と、を備えてもよい。
【００１２】
また、上記の発振器は、前記第１遅延部における遅延時間を制御する制御部をさらに備えてもよい。
【発明の効果】
【００１３】
本発明によれば、周波数が異なる複数の信号を出力しつつ、複数の信号のレベルが同時に変化することを抑制できるという効果を奏する。
【図面の簡単な説明】
【００１４】
【図１】第１の実施形態に係る発振器の構成を示す図である。
【図２】第１の実施形態に係る発振器が出力する第１遅延信号と第２分周信号との関係を示す図である。
【図３】第２の実施形態に係る発振器の構成を示す図である。
【図４】第２の実施形態に係る発振器の出力端子から出力される信号の周波数を示す表である。
【図５】第３の実施形態に係る発振器の構成を示す図である。
【図６】第３の実施形態に係る発振器の出力端子から出力される信号の周波数を示す表である。
【図７】第３の実施形態に係る発振器の出力端子から出力される信号のタイミング図である。
【図８】第４の実施形態に係る発振器の構成を示す図である。
【図９】第４の実施形態に係る発振器の出力端子から出力される信号の周波数を示す表である。
【図１０Ａ】第４の実施形態に係る発振器の出力端子から出力される信号のタイミング図である。
【図１０Ｂ】第４の実施形態に係る発振器の出力端子から出力される信号のタイミング図である。
【図１１】第５の実施形態に係る発振器の構成を示す図である。
【図１２】第５の実施形態に係る発振器の出力端子から出力される信号の周波数を示す表である。
【図１３】第６の実施形態に係る発振器の構成を示す図である。
【図１４】第７の実施形態に係る発振器の構成を示す図である。
【図１５】従来の発振器から出力される第１分周信号と第２分周信号との関係を示す図である。
【発明を実施するための形態】
【００１５】
＜第１の実施形態＞
図１は、第１の実施形態に係る発振器１の構成を示す図である。発振器１は、発振部１０と、第１分周部１１と、第２分周部１２と、第１遅延部１３と、出力端子２１と、出力端子２２と、制御端子３１とを備える。
【００１６】
発振部１０は、例えば、水晶振動子又はＭＥＭＳ振動子等の振動子と、当該振動子を発振させる発振回路とを有する。発振部１０は、第１周波数の正弦波状又は方形波状の発振信号を生成して出力する。発振部１０は、例えば、水晶振動子又はＭＥＭＳ振動子の共振周波数のオーバートーン周波数で発振する発振信号を出力する。
【００１７】
第１分周部１１は、発振部１０が出力した発振信号を第１の分周比で分周して、第１周波数よりも低い周波数の第１分周信号を生成する。発振信号の周期をＴ、第１の分周比をＭ（ただし、Ｍは２以上の整数）とすると、第１分周部１１は、発振信号の立ち上がりタイミングに同期して立ち上がる、周期がＴ×Ｍの第１分周信号を生成する。
【００１８】
第２分周部１２は、発振部１０が出力した発振信号を第２の分周比で分周して、第２周波数よりも低い周波数の第２分周信号を生成する。発振信号の周期をＴ、第２の分周比をＮ（ただし、ＮはＭより大きい整数）とすると、第２分周部１２は、発振信号の立ち上がりタイミングに同期して立ち上がる、周期がＴ×Ｎの第２分周信号を生成する。第２分周信号は、出力端子２２から出力される。
【００１９】
第１遅延部１３は、第１分周信号を遅延させることで、第２分周信号と異なるタイミングで信号レベルが変化する第１遅延信号を生成する。第１遅延部１３は、例えば、発振信号に同期して、第１分周信号を遅延させる。
【００２０】
具体的には、第１遅延部１３は、例えばＤフリップフロップを有し、発振部１０が出力した発振信号がＤフリップフロップのクロック入力段に入力される。また、第１分周部１１が出力する第１分周信号が、Ｄフリップフロップのデータ入力段に入力される。第１遅延部１３は、データ入力段に入力された第１分周信号を、クロック入力段に入力された発振信号の立ち下がりタイミングでラッチしてから出力する。このようにすることで、発振信号の立ち上がりタイミングに同期して信号レベルを変化させる第１分周信号は、発振信号の半周期分だけ遅延して、発振信号の立ち下がりタイミングに同期して信号レベルを変化させる第１遅延信号に変換される。第１遅延信号は、出力端子２１から出力される。
【００２１】
第１遅延部１３は、フリップフロップ以外の素子を用いて、第１分周信号を遅延させてもよい。例えば、第１遅延部１３は、発振信号と非同期に動作するディレイラインを用いて、第１分周信号を遅延させてもよい。また、第１遅延部１３は、フリップフロップとディレイラインとを組み合わせて用いてもよい。第１遅延部１３がフリップフロップ及びディレイラインを用いる場合、遅延時間は、発振信号の周期の倍数と異なる時間が選択される。遅延時間は、例えば、Ｔ／２＋ｋＴ＋ｄ（ｋは０以上の整数、ｄはディレイラインの遅延時間）である。
【００２２】
第１遅延部１３は、制御端子３１から入力される制御信号に基づいて、第１分周信号を遅延させる時間を変化させる。例えば、第１遅延部１３が複数段のフリップフロップを有する場合、第１遅延部１３は、制御信号が示す段数のフリップフロップを用いて、第１分周信号を遅延させる。制御信号がｋを示す場合、第１遅延部１３は、Ｔ／２＋ｋＴ（ｋは、０以上の整数）だけ遅延させる。
【００２３】
図２は、第１の実施形態に係る発振器１が出力する第１遅延信号と第２分周信号との関係を示す図である。発振信号は、１４４ＭＨｚの方形波状の信号である。第１分周信号は、発振信号を６分周した信号であり、発振信号の６周期ごとに、発振信号の立ち上がりタイミングに同期して立ち上がっている。第１分周信号の周波数は、２４ＭＨｚである。
【００２４】
第１遅延信号は、第１分周信号を、発振信号の立ち下がりエッジでラッチすることにより生成されており、第１分周信号に対して発振信号の半周期分だけ遅延している。したがって、第１遅延信号は、発振信号の６周期ごとに、発振信号の立ち下がりタイミングに同期して立ち上がっている。
【００２５】
第２分周信号は、発振信号を８分周した信号であり、発振信号の８周期ごとに、発振信号の立ち上がりタイミングに同期して立ち上がっている。第２分周信号の周波数は、１６ＭＨｚである。
【００２６】
第１遅延信号が、発振信号の立ち下がりタイミングに同期して信号レベルが変化するのに対して、第２分周信号は、発振信号の立ち上がりタイミングに同期して信号レベルが変化する。したがって、第１遅延信号の信号レベル及び第２分周信号の信号レベルが、同時に変化しないことがわかる。
【００２７】
以上のとおり、第１の実施形態に係る発振器１は、第１分周信号を遅延させることで、第２分周信号と異なるタイミングで信号レベルが変化する第１遅延信号を生成する第１遅延部１３を備えるので、第１分周信号の信号レベルと第２分周信号の信号レベルとが同時に変化しない。したがって、発振器１は、信号レベルが同時に変化しない、周波数が異なる複数の信号を出力することができる。
【００２８】
＜第２の実施形態＞
図３は、第２の実施形態に係る発振器２の構成を示す図である。発振器２は、第１分周信号及び第２分周信号のいずれかを選択する第１選択部１４と、第１選択部１４が選択した信号を出力する出力端子２３とをさらに備える点で、第１の実施形態に係る発振器１と異なる。第１選択部１４は、制御端子３２から入力される選択信号に基づいて、第１分周信号を出力するか、第２分周信号を出力するかを切り替える。
【００２９】
図４は、発振器２の出力端子２１、出力端子２２及び出力端子２３から出力される信号の周波数を示す表である。発振器２は、制御端子３２から入力される選択信号の論理値が０の場合、出力端子２１から、第１周波数の第１遅延信号（遅延時間Ｔ／２）、出力端子２３から、第１周波数の第１分周信号（遅延時間０）、出力端子２２から、第２周波数の第２分周信号（遅延時間０）を出力する。発振器２は、制御端子３２から入力される選択信号の論理値が１の場合、出力端子２１から、第１周波数の第１遅延信号（遅延時間Ｔ／２）、出力端子２２及び出力端子２３から、第２周波数の第２分周信号（遅延時間０）を出力する。ここで、遅延時間は、第１分周信号の立ち上がりタイミングからの遅延時間である。
【００３０】
このように、発振器２においては、選択信号に応じて、第１分周信号又は第２分周信号のいずれかを出力することができるので、発振器２を使用する装置において、複数の第１周波数の信号、又は複数の第２周波数の信号を使用できる。また、発振器２が出力する３つの信号のうち少なくとも１つの信号は、他の信号のレベルが変化するタイミングと異なるタイミングで変化するので、３つの信号のレベルが同じタイミングで変化することを抑制できる。
【００３１】
＜第３の実施形態＞
図５は、第３の実施形態に係る発振器３の構成を示す図である。発振器３は、第２分周部１２と出力端子２２との間に第２遅延部１５を備えている点で、図３に示した発振器２と異なり、他の点で同じである。本実施形態において、第１遅延部１３は、発振部１０が出力する発振信号の立ち下がりタイミングで第１分周信号をラッチして、出力端子２１から出力する。第２遅延部１５は、第２分周信号を遅延させることで、第１分周信号、第２分周信号及び第１遅延信号と異なるタイミングで信号レベルが変化する第２遅延信号を生成する。第２遅延部１５は、例えば、制御端子３３から入力される制御信号に基づいて遅延時間を決定する。
【００３２】
第２遅延部１５は、例えば、第１遅延部１３と同様にＤフリップフロップを有する。第２遅延部１５は、発振信号の立ち上がりタイミングで第２分周信号をラッチして、出力端子２２から出力する。このようにすることで、出力端子２１から出力される第１遅延信号、出力端子２２から出力される第２遅延信号、出力端子２３から出力される第１選択部１４が選択した信号は、それぞれ異なるタイミングで信号レベルが変化する。
【００３３】
図６は、発振器３の出力端子２１、出力端子２２及び出力端子２３から出力される信号の周波数を示す表である。発振器３は、制御端子３２から入力される選択信号の論理値が０の場合、出力端子２１から、第１周波数の第１遅延信号（遅延時間はＴ／２）、出力端子２３から、第１周波数の第１分周信号（遅延時間は０）、出力端子２２から、第２周波数の第２遅延信号（遅延時間はＴ）を出力する。発振器３は、制御端子３２から入力される選択信号の論理値が１の場合、出力端子２１から、第１周波数の第１遅延信号（遅延時間はＴ／２）、出力端子２３から、第２周波数の第２分周信号（遅延時間は０）、出力端子２２から、第２周波数の第２遅延信号（遅延時間はＴ）を出力する。ここで、遅延時間は、第１分周信号の立ち上がりタイミングからの遅延時間である。
【００３４】
図７は、発振器３の出力端子２１、出力端子２２及び出力端子２３から出力される信号のタイミング図である。第１選択部１４が第１分周信号を選択した場合は、出力端子２３から第１分周信号が出力され、第１選択部１４が第２分周信号を選択した場合は、出力端子２３から第２分周信号が出力される。図７から明らかなように、第１選択部１４が第１分周信号を選択した場合も第２分周信号を選択した場合も、出力端子２１、出力端子２２及び出力端子２３から出力される３つの信号が、同じタイミングで変化することがない。
【００３５】
以上のとおり、発振器３においては、第２分周信号を遅延させる第２遅延部１５をさらに備えることにより、第１周波数の信号、第２周波数の信号、及び第１周波数又は第２周波数のいずれかの信号を出力するとともに、それぞれの信号の信号レベルが同時に変化しない。したがって、３つの信号のレベルが同じタイミングで変化することを抑制できる。
【００３６】
＜第４の実施形態＞
図８は、第４の実施形態に係る発振器４の構成を示す図である。発振器４は、第１選択部１４と出力端子２３との間に第３遅延部１６を備えている点で、図３に示した発振器２と異なり、他の点で同じである。本実施形態において、第１遅延部１３は、発振部１０が出力する発振信号の立ち下がりタイミングで第１分周信号をラッチして、出力端子２１から出力する。第３遅延部１６は、第１選択部１４が選択した信号を遅延させることで、第１分周信号及び第２分周信号と異なるタイミングで信号レベルが変化する第３遅延信号を生成する。第３遅延部１６は、第１選択部１４が第１分周信号及び第２分周信号のうちのいずれの信号を選択したかに基づいて、遅延時間を切り替える。
【００３７】
第３遅延部１６は、例えば、第１遅延部１３と同様にＤフリップフロップを有する。第３遅延部１６は、第１選択部１４が第１分周信号及び第２分周信号のいずれを選択したかに基づいて、第１選択部１４が選択した信号を発振信号の立ち上がりタイミングにおいてラッチするか、立ち下がりタイミングにおいてラッチするかを切り替える。第３遅延部１６は、例えば、制御端子３４から入力される制御信号に基づいて、立ち上がりタイミングにおいてラッチするか、立ち下がりタイミングにおいてラッチするかを切り替える。
【００３８】
第３遅延部１６は、制御端子３２から入力される選択信号に基づいて、立ち上がりタイミングにおいてラッチするか、立ち下がりタイミングにおいてラッチするかを切り替えてもよい。また、第３遅延部１６は、制御端子３４から入力される制御信号又は制御端子３２から入力される選択信号に基づいて、遅延時間を決定してもよい。
【００３９】
第３遅延部１６は、第１選択部１４が第１分周信号を選択した場合、発振部１０が出力する発振信号の立ち下がりタイミングにおいて、第１選択部１４が選択した第１分周信号をラッチして、出力端子２３に出力する。第３遅延部１６における遅延時間は、第１遅延部１３における遅延時間と異なる。例えば、第１遅延部１３における遅延時間がＴ／２である場合に、第３遅延部１６における遅延時間は、Ｔ／２＋Ｔである。
【００４０】
このようにすることで、出力端子２１から出力される第１遅延信号と、出力端子２３から出力される第３遅延信号とは、周波数が同一で位相が異なる信号になるので、同時に信号レベルが変化しない。したがって、出力端子２１から出力される第１遅延信号、出力端子２２から出力される第２分周信号、出力端子２３から出力される第３遅延信号は、それぞれ異なるタイミングで信号レベルが変化する。
【００４１】
第３遅延部１６は、第１選択部１４が第２分周信号を選択した場合、発振部１０が出力する発振信号の立ち上がりタイミングにおいて、第１選択部１４が選択した第２分周信号をラッチして、出力端子２３に出力する。第３遅延部１６における遅延時間は、第１遅延部１３における遅延時間と異なり、かつ第２分周信号の周期と異なる。
【００４２】
第１選択部１４が第２分周信号を選択した場合に、第３遅延部１６が、第１遅延部１３と異なるタイミングで第２分周信号をラッチすることにより、第１遅延信号の変化タイミングと第３遅延信号の変化タイミングとが一致しない。また、第３遅延信号は、第２分周信号を遅延させた信号なので、第３遅延信号の変化タイミングと第２分周信号の変化タイミングとも一致しない。その結果、出力端子２１、出力端子２２及び出力端子２３から出力される信号は、それぞれ異なるタイミングで信号レベルが変化する。
【００４３】
図９は、発振器４の出力端子２１、出力端子２２及び出力端子２３から出力される信号の周波数を示す表である。発振器４は、制御端子３２から入力される選択信号の論理値が０の場合、出力端子２１から、第１周波数の第１遅延信号（遅延時間はＴ／２）、出力端子２３から、第１周波数の第３遅延信号（遅延時間はＴ／２＋Ｔ）、出力端子２２から、第２周波数の第２分周信号（遅延時間は０）を出力する。発振器４は、制御端子３２から入力される選択信号の論理値が１の場合、出力端子２１から、第１周波数の第１遅延信号（遅延時間はＴ／２）、出力端子２３から、第２周波数の第３遅延信号（遅延時間はＴ）、出力端子２２から、第２周波数の第２分周信号（遅延時間は０）を出力する。ここで、遅延時間は、第１分周信号の立ち上がりタイミングからの遅延時間である。
【００４４】
図１０Ａ及び図１０Ｂは、発振器４の出力端子２１、出力端子２２及び出力端子２３から出力される信号のタイミング図である。図１０Ａは、選択信号の論理値が０の場合のタイミング図であり、図１０Ｂは、選択信号の論理値が１の場合のタイミング図である。図１０Ａ及び図１０Ｂから明らかなように、第１選択部１４が第１分周信号を選択した場合も第２分周信号を選択した場合も、出力端子２１、出力端子２２及び出力端子２３から出力される３つの信号が、同じタイミングで変化することがない。
【００４５】
以上のとおり、発振器４においては、第１選択部１４が第１分周信号を選択するか第２分周信号を選択するかに基づいて、第３遅延部１６における遅延時間を変化させることで、第１周波数の信号、第２周波数の信号、及び第１周波数又は第２周波数のいずれかの信号を出力するとともに、３つの信号のレベルが同じタイミングで変化することを抑制できる。
【００４６】
＜第５の実施形態＞
図１１は、第５の実施形態に係る発振器５の構成を示す図である。発振器５は、第２選択部１７を備える点で第１の実施形態に係る発振器１と異なり、他の点で同じである。第２選択部１７は、第１遅延部１３が第１分周信号を遅延させて生成した第１遅延信号、及び第２分周部１２が生成した第２分周信号のいずれかを選択する。第２選択部１７が選択した信号は、出力端子２３から出力される。
【００４７】
図１２は、発振器５の出力端子２１、出力端子２２及び出力端子２３から出力される信号の周波数を示す表である。発振器５は、制御端子３５から入力される選択信号の論理値が０の場合、出力端子２１及び出力端子２３から、第１周波数の第１遅延信号（遅延時間はＴ／２）、出力端子２２から、第２周波数の第２分周信号（遅延時間は０）を出力する。発振器５は、制御端子３５から入力される選択信号の論理値が１の場合、出力端子２１から、第１周波数の第１遅延信号（遅延時間はＴ／２）、出力端子２２及び出力端子２３から、第２周波数の第２分周信号（遅延時間は０）を出力する。
【００４８】
このように、発振器５は、第１周波数の信号と、第２周波数の信号と、第１周波数の信号及び第２周波数から選択された周波数の信号とを出力する。さらに、発振器５は、第１周波数の信号と第２周波数の信号とを同時に変化させない。したがって、発振器５によれば、同一の周波数の複数の信号を供給しつつ、３つの信号のレベルが同じタイミングで変化することを抑制できる。
【００４９】
＜第６の実施形態＞
図１３は、第６の実施形態に係る発振器６の構成を示す図である。発振器６は、制御部１８と、制御端子３６とをさらに備える点で、第１の実施形態に係る発振器１と異なり、他の点で同じである。
【００５０】
制御部１８は、例えばＣＰＵであり、第１遅延部１３における遅延時間を制御する。制御部１８は、制御端子３６から入力されるデータに基づいて、第１遅延部１３の遅延時間や、第１遅延部１３が第１分周信号をラッチするタイミングを制御する。このように、発振器６が制御部１８を備えることにより、発振器６を使用するシステムの状態に応じて、出力端子２１から出力される第１周波数の信号と出力端子２２から出力される第２周波数の信号との間のタイミング関係を柔軟に制御することができる。
【００５１】
なお、第２の実施形態から第５の実施形態に係る発振器２、発振器３、発振器４及び発振器５が、制御部１８を備えてもよい。この場合、制御部１８は、外部から入力されるデータに基づいて、第１選択部１４及び第２選択部１７が選択する信号、第２遅延部１５及び第３遅延部１６における遅延時間や、第２遅延部１５及び第３遅延部１６に入力される信号をラッチするタイミングを制御する。
【００５２】
このように、本発明に係る発振器が制御部１８を備えることにより、周波数が異なる複数の信号を出力するとともに、出力される複数の信号の周波数、及び複数の信号のレベルの変化タイミングを柔軟に制御することが可能になる。
【００５３】
＜第７の実施形態＞
図１４は、第７の実施形態に係る発振器７の構成を示す図である。発振器７は、第２分周部１２が、第１分周部１１が出力する第１分周信号を分周することにより第２分周信号を生成する点で、図１に示した発振器１と異なり、他の点で同じである。上記の全ての実施形態において、第２分周部１２は、このように第１分周信号を分周することにより第２分周信号を生成してもよい。
【００５４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００５５】
例えば、第２遅延部１５及び第３遅延部１６においても、第１遅延部１３と同様に、フリップフロップ及びディレイラインを組み合わせることで、多様な遅延時間を設定できるようにしてもよい。
また、発振器は、第１分周信号及び第２分周信号の周波数と異なる第３分周信号を出力する他の分周部を備えてもよい。
【符号の説明】
【００５６】
１、２、３、４、５、６、７・・・発振器
１０・・・発振部
１１・・・第１分周部
１２・・・第２分周部
１３・・・第１遅延部
１４・・・第１選択部
１５・・・第２遅延部
１６・・・第３遅延部
１７・・・第２選択部
１８・・・制御部
２１、２２、２３・・・出力端子
３１、３２、３３、３４、３５、３６・・・制御端子
【図１】
2018026846.tif 000003
【図２】
2018026846.tif 000004
【図３】
2018026846.tif 000005
【図４】
2018026846.tif 000006
【図５】
2018026846.tif 000007
【図６】
2018026846.tif 000008
【図７】
2018026846.tif 000009
【図８】
2018026846.tif 000010
【図９】
2018026846.tif 000011
【図１０Ａ】
2018026846.tif 000012
【図１０Ｂ】
2018026846.tif 000013
【図１１】
2018026846.tif 000014
【図１２】
2018026846.tif 000015
【図１３】
2018026846.tif 000016
【図１４】
2018026846.tif 000017
【図１５】
2018026846.tif 000018
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
発振信号を生成する発振部と、
前記発振信号を第１の分周比で分周して第１分周信号を生成する第１分周部と、
前記発振信号を第２の分周比で分周して第２分周信号を生成する第２分周部と、
前記第１分周信号を遅延させることで、前記第２分周信号と異なるタイミングで信号レベルが変化する第１遅延信号を生成する第１遅延部と、
前記第１分周信号及び前記第２分周信号のいずれかを選択する第１選択部と、
前記第１遅延信号を出力する第１出力端子と、
前記第２分周信号を出力する第２出力端子と、
前記第１選択部が選択した信号を出力する第３出力端子と、
を備える発振器。
【請求項２】
前記第１選択部が前記第１分周信号及び前記第２分周信号のいずれを選択するかを制御するための選択信号を入力する制御端子をさらに有し、
前記第１選択部は、前記制御端子に入力される前記選択信号の論理値に基づいて、前記第１分周信号を出力するか前記第２分周信号を出力するかを切り替える、
請求項１に記載の発振器。
【請求項３】
前記第３出力端子は、
前記制御端子に入力された前記選択信号が第１論理値である場合、前記発振信号の立ち上がりタイミングに同期した前記第１分周信号を出力し、
前記制御端子に入力された前記選択信号が前記第１論理値と異なる第２論理値である場合、前記発振信号の立ち上がりタイミングに同期した前記第２分周信号を出力する、
請求項２に記載の発振器。
【請求項４】
前記第１選択部が選択した信号を遅延させることで、前記第１分周信号及び前記第２分周信号と異なるタイミングで信号レベルが変化する第３遅延信号を生成する第３遅延部をさらに有し、
前記第３出力端子は、
前記制御端子に入力された前記選択信号が第１論理値である場合、前記第３遅延部において前記第１分周信号を第１時間だけ遅延させた信号を出力し、
前記制御端子に入力された前記選択信号が第２論理値である場合、前記第３遅延部において前記第２分周信号を前記第１時間と異なる第２時間だけ遅延させた信号を出力する、
請求項２に記載の発振器。